(57)【要約】【課題】構造を破壊しないと嵌合状態が解けない装身具用取付構造を提供する。【解決手段】嵌合部と第２嵌合部２１との嵌め合わせを通じて装身具本体を装身具本体被取付体へ取り付ける装身具用取付構造に関し、第２嵌合部２１を、円形底面２１１と、この円形底面２１１の周縁の円周壁面２１２と、円形底面２１１の中心部から突出し、円周壁面２１２よりも背の高い突出体２１３とからなる雄型構造として円柱体を削ることで形成し、突出体２１３を、円形底面２１１と平行な下面２１３１ｂを有し、この下面２１３１ｂと先端面２１３１ａとで形成される頭部２１３１、円形底面２１１と平行な上面２１３３ａを有し、円形底面２１１と接して形成される土台部２１３３、この土台部２１３３の上面２１３３ａの中心部から頭部２１３１の下面２１３１ｂの中心部へ向けてテーパ状に拡開して連結する軸部２１３２からなるものとする。【選択図】図３
2013103105.tif 000002
【特許請求の範囲】
【請求項１】
中心部が凹み、この凹んで形成された開口に突起を有する雌型構造の嵌合部と、この嵌合部に嵌り合う雄型構造の第２嵌合部とから構成され、この第２嵌合部と前記嵌合部との嵌め合わせを通じて装身具本体を、装身具本体被取付体へ回転可能に取り付ける装身具用取付構造であって、
前記第２嵌合部の雄型構造は、円形底面と、この円形底面の周縁から突出する円周壁面と、前記円形底面の中心部から突出し、前記円周壁面よりも背の高い先端を有する突出体とで形成され、
前記突出体は、前記円形底面と平行な下面及び前記円周壁面と平行な側面を有し、この側面と前記下面と前記先端とで形成される頭部と、前記円形底面と平行な上面及び前記円周壁面と平行な側面を有し、前記円形底面と接して形成される土台部と、この土台部と前記頭部を連結する軸部とからなり、前記軸部が、前記土台部の上面の中心部から前記頭部の下面の中心部へ向けてテーパ状に拡開して連結されていて、
前記突出体の前記頭部の側面及び前記土台部の側面が前記嵌合部の開口へ圧接されるとともに、前記軸部が前記嵌合部の突起に挟持され、かつ、前記頭部の下面とテーパ状の前記軸部によって形成される形状に前記突起が引っ掛かって、前記装身具本体の回転に伴って前記突起に生じる嵌め合わせが外れる向きの応力が押さえ込まれることで、前記嵌合部と前記第２嵌合部との嵌め合わせが維持されてなる、
ことを特徴とする装身具用取付構造。
【請求項２】
請求項１に記載の装身具用取付構造を備えた装身具であって、
前記装身具本体被取付体は、一枚の略矩形状板が折り曲げられて形成され、上面部と、下面部と、この下面部及び前記上面部を連結する連結部とから弾性を有する側面視略コの字形状になり、この側面視略コの字形状の開放側から被装身体へ取り付けることで、嵌め合わされた前記装身具本体を装身可能にするホルダであり、
前記上面部に、前記嵌合部又は前記第２嵌合部が設けられ、
前記下面部に、その一部を前記上面部側へ向けて略への字に屈曲させて形成した留部が設けられている、
ことを特徴とする装身具。
【請求項３】
請求項１に記載の装身具用取付構造を備えた装身具であって、
前記装身具本体被取付体は、一枚の略矩形状板が折り曲げられ、上面部と、下面部と、この下面部及び前記上面部を連結する連結部とから側面視略コの字形状に形成されて、この側面視略コの字形状の開放側から被装身体へ取り付けることで、嵌め合わされた前記装身具本体を装身可能にするホルダであり、
前記上面部に、前記嵌合部又は前記第２嵌合部が設けられ、
前記下面部に、前記被装身体を受け入れ可能な前記コの字形状の開放側の幅を調整する調整部材が備えられている、
ことを特徴とする装身具。
【発明の詳細な説明】
【技術分野】
【０００１】
本発明は、徽章や、ペンダント、指輪に嵌められる宝飾品等の装身具本体と、この装身具本体を衣服の襟部、胸部、袖部や帽子、ネクタイ、指等に付するために用いる装身具本体被取付体との間で形成される装身具用取付構造、及び、これを備えた装身具に関する。
【背景技術】
【０００２】
装身具のうち例えば、徽章は一般に、フラワーホールと呼ばれる左襟又は両襟に設けられた穴に、徽章本体に備えられたピンを貫通させて用いられる。一方、最近では夏季の間、背広の着用を原則不要にして業務を行い、省エネ、職場環境の改善等を図ろうとする所謂クールビスが奨励されるに至っている。しかし、背広を着用しなければ、徽章を付する箇所が見あたらなくなる。仮に、ワイシャツ、カッターシャツ等に徽章本体のピンを貫通させると、これらの衣服に穴が開くという不都合が生じる。
【０００３】
本願出願人は、クールビスを励行し、背広を着用しないような軽装により業務を行う場合であっても、徽章を簡便に衣服等に付する手段として、ワイシャツ、カッターシャツ等に傷つけることなく付することのできる徽章に係る考案を下記特許文献１において提案している。
【０００４】
上記考案は、徽章本体に設けた嵌合部とホルダに設けた第２嵌合部を嵌合させたとき、徽章本体又はホルダを回転可能する構成を備えている。これにより、嵌合状態でホルダをワイシャツ、カッターシャツの襟等に付したとき、徽章本体に表されている図案の向きを簡単に調整することができる。しかも、ピンを不要とした構成であるので、衣服を傷つけずに徽章を付することができる。
【先行技術文献】
【特許文献】
【０００５】
【特許文献１】登録実用新案第３１７０３４９号公報
【発明の概要】
【発明が解決しようとする課題】
【０００６】
本願出願人は、上記考案の活用を進めていくうち、徽章本体の回転により図案の向きを調整して徽章を衣服に付し、業務を行っていると、何らかの応力が衣服に加わったときに徽章本体が不意に回転し、図案の向きがずれてしまう場合があることが分かった。また、何らかの応力が衣服に加わったときに徽章本体がホルダから不意に外れてしまう場合があることも分かった。
【０００７】
したがって、徽章本体の回転を原則的に可能とするが、例外的に意図しない回転だけを不可能とする機構を創作することが必要になった。さらに、一度嵌合すれば、二度と徽章本体がホルダから外れないようにする構成を創作することも必要になった。
【０００８】
このほか、上記考案では、徽章本体とホルダとで別体により構成すれば、徽章本体が小さいサイズであるので、乳児、幼児等が飲み込むような事故を防ぐといった対策を講じることが好ましい。嵌合部と第２嵌合部を嵌合させたときの嵌合構造を側面視で審美にすること、付する際に嵌合構造が衣服に引っ掛からないようにすること等の要請もある。さらに、上述した機構や構成は、ピンを衣服に貫通させて身につけるペンダント、宝飾品等を本体としてリングに嵌め合わせる指輪等、様々な装身具本体と、この装身具本体を装身具本体被取付体へ嵌め合わせる機構や構成に応用できることも分かってきた。
【０００９】
本発明は、上記実情に基づいて提案され、ピンを不要として衣服を傷つけず、かつ、装身具本体の回転を原則可能とし、意図しない回転だけを不可能とし、装身具本体がホルダから外れないように一体化し、この一体化により乳幼児の飲み込み事故を防止するほか、嵌合構造の審美化、付する際に嵌合構造が衣服に引っ掛からない等の効果を得ることもできる装身具用取付構造と、これを備えた装身具を提供することを目的とする。
【課題を解決するための手段】
【００１０】
上記目的を達成するため、本発明は、中心部が凹み、この凹んで形成された開口に突起を有する雌型構造の嵌合部と、この嵌合部に嵌り合う雄型構造の第２嵌合部とから構成され、この第２嵌合部と前記嵌合部との嵌め合わせを通じて装身具本体を、装身具本体被取付体へ回転可能に取り付ける装身具用取付構造であって、前記第２嵌合部の雄型構造は、円形底面と、この円形底面の周縁から突出する円周壁面と、前記円形底面の中心部から突出し、前記円周壁面よりも背の高い先端を有する突出体とで形成され、前記突出体は、前記円形底面と平行な下面及び前記円周壁面と平行な側面を有し、この側面と前記下面と前記先端とで形成される頭部と、前記円形底面と平行な上面及び前記円周壁面と平行な側面を有し、前記円形底面と接して形成される土台部と、この土台部と前記頭部を連結する軸部とからなり、前記軸部が、前記土台部の上面の中心部から前記頭部の下面の中心部へ向けてテーパ状に拡開して連結されていて、前記突出体の前記頭部の側面及び前記土台部の側面が前記嵌合部の開口へ圧接されるとともに、前記軸部が前記嵌合部の突起に挟持され、かつ、前記頭部の下面とテーパ状の前記軸部によって形成される形状に前記突起が引っ掛かって、前記装身具本体の回転に伴って前記突起に生じる嵌め合わせが外れる向きの応力が押さえ込まれることで、前記嵌合部と前記第２嵌合部との嵌め合わせが維持されてなることを特徴とする。
【００１１】
さらに、本発明は、上記装身具用取付構造を備えて構成される装身具であって、前記装身具本体被取付体は、一枚の略矩形状板が折り曲げられて形成され、上面部と、下面部と、この下面部及び前記上面部を連結する連結部とから弾性を有する側面視略コの字形状になり、この側面視略コの字形状の開放側から被装身体へ取り付けることで、嵌め合わされた前記装身具本体を装身可能にするホルダであり、前記上面部に前記嵌合部又は前記第２嵌合部が、前記下面部にその一部を前記上面部側へ向けて略への字に屈曲させて形成した留部が、それぞれ設けられていることを特徴とする。また、この装身具本体被取付体であるホルダは、前記上面部に、前記嵌合部又は前記第２嵌合部が設けられ、前記下面部に、前記被装身体を受け入れ可能な前記コの字形状の開放側の幅を調整する調整部材が備えられていてもよい。
【発明の効果】
【００１２】
本発明は、中心部が凹み、この凹んで形成された開口に突起を有する雌型構造の嵌合部と、この嵌合部に嵌り合う雄型構造の第２嵌合部とから構成され、この第２嵌合部と嵌合部との嵌め合わせを通じて装身具本体を、装身具本体被取付体へ回転可能に取り付ける装身具用取付構造である。したがって、嵌合部と第２嵌合部との嵌め合わせを通じて装身具本体を、装身具本体被取付体へ回転可能に取り付けることができる。
【００１３】
特に、第２嵌合部の雄型構造は、円形底面と、この円形底面の周縁から突出する円周壁面と、円形底面の中心部から突出し、円周壁面よりも背の高い先端を有する突出体とで形成されて構成されている。突出体は、円形底面と平行な下面及び円周壁面と平行な側面を有し、この側面と下面と先端とで形成される頭部と、円形底面と平行な上面及び円周壁面と平行な側面を有し、円形底面と接して形成される土台部と、この土台部と頭部を連結する軸部とからなり、軸部が、土台部の上面の中心部から頭部の下面の中心部へ向けてテーパ状に拡開して連結されている構造である。この構成及び構造により、突出体の頭部の側面及び土台部の側面が嵌合部の開口へ圧接されるとともに、突出体の軸部が嵌合部の突起に挟持され、かつ、頭部の下面とテーパ状の軸部によって形成される形状に突起が引っ掛かって、装身具本体の回転に伴って突起に生じる嵌め合わせが外れる向きの応力が押さえ込まれることで嵌合部と第２嵌合部との嵌め合わせが維持される構成となる。したがって、装身具本体を装身具本体被取付体に回転可能に嵌め合わせて取り付けたとき、装身具本体の回転に伴って嵌合部の突起に生じる嵌め合わせが外れる向きの応力は、頭部の下面とテーパ状の軸部によって形成される形状に突起が引っ掛かって押さえ込まれるので、装身具本体を装身具本体被取付体から外れないようにすることができる。ちなみに、装身具本体を装身具本体被取付体から外すには、第２嵌合部の雄型構造を破壊する必要がある。
【００１４】
さらに、突出体の頭部の側面のほかに、土台部の側面までもが嵌合部の開口へ圧接され、かつ、突出体の軸部が嵌合部の突起に挟持されるため、装身具本体を回転するために相当程度の力を要するものとなり、装身具本体の回転を原則的に可能とするが、例外的に意図しない回転だけを不可能とすることができる。また、嵌合部と第２嵌合部との嵌め合わせの構成及び構造は、第２嵌合部の円周壁面によって外観に現れることがなく、側面視を含めて全体を審美にすることができる。嵌合部と第２嵌合部との嵌め合わせの構成及び構造が外観に現れることがないから、嵌合構造に起因して衣服に付する際に引っ掛かるというような事象を防ぐこともできる。このほか、本発明に係る装身具用取付構造は、このような構成及び構造であるので、様々な装身具本体と装身具本体被取付体との嵌め合わせ構造に適用可能となる。
【００１５】
また、本発明は、上記装身具用取付構造を備えて構成される装身具であるから、装身具本体を装身具本体被取付体に回転可能に嵌め合わせて取り付けたとき、雄型構造が破壊されない限り、装身具本体が装身具本体被取付体から外れないようにすることができ、意図しない回転が生じることもなくなる。装身具本体は装身具本体被取付体から外れないから、ある程度の大きさとなって乳児、幼児等が飲み込むような事故を防ぐこともできる。
【００１６】
このほか、装身具本体被取付体が、一枚の略矩形状板が折り曲げられて形成され、上面部と、下面部と、この下面部及び上面部を連結する連結部とから弾性を有する側面視略コの字形状になり、この側面視略コの字形状の開放側から被装身体へ取り付けることで、嵌め合わされた装身具本体を装身可能にするホルダであって、上面部に嵌合部又は第２嵌合部が、下面部にその一部を上面部側へ向けて略への字に屈曲させて形成した留部が、それぞれ設けられているので、装身具の衣服等への取り付けが容易になるものである。また、下面部の略への字に屈曲させて形成した留部の代わりに、被装身体を受け入れ可能なコの字形状の開放側の幅（厚み）を調整する調整部材が備えられれば、被装身体を受け入れ可能な幅（厚み）を調整することができるので、様々な厚みを有する被装身具体に対応することができ便宜である。
【図面の簡単な説明】
【００１７】
【図１】本発明に係る装身具としての徽章の概略全体斜視図である。
【図２】本発明に係る装身具としての徽章を、徽章本体とホルダとに分離して表した分解図である。
【図３】本発明に係る装身具用取付構造に関し、第２嵌合部の雄型構造を説明する正面図と縦断面図である。
【図４】本発明に係る装身具用取付構造に関し、嵌合部と第２嵌合部とを嵌め合わせた状態を説明する縦断面図である。
【図５】本発明に係る装身具としての徽章に関し、衣服に付する手順を説明する説明図であって、（Ａ）は、装身具（徽章）を被付着部位に付した場面を説明する説明図、（Ｂ）は、装身具本体（徽章本体）を回転させて、その図案の向きを調整している場面を説明する説明図、（Ｃ）は、衣服に付された装身具（徽章）の図案が適切な向きに位置決めされた場面を説明する説明図である。
【図６】本発明に係る装身具に関し、ホルダの別の構成例を説明する斜視図である。
【図７】本発明に係る装身具に関し、別の例であるペンダントについて説明する説明図である。
【発明を実施するための形態】
【００１８】
以下、本発明に係る装身具用取付構造と、これを備えた装身具として、徽章本体とホルダ（装身具本体被取付体）とを嵌め合わせてなる徽章についての一実施形態を例示して取り上げ、図面に基づいて詳述する。なお、この一実施形態は、本発明の構成を具現化した例示に過ぎない。本発明は、特許請求の範囲に記載した事項を逸脱することがなければ種々の設計変更を行うことができる。例えば、ペンダント本体とホルダとを嵌め合わせたペンダントの形態、宝飾品本体とリングとを嵌め合わせた指輪の形態を始め、様々な装身具用取付構造と、これを備えた装身具に適用することができる。また、本発明に係る装身具は、衣服の胸部、襟部、袖部や、帽子、ネクタイ等をはじめ様々な被付着部位に付することができるものである。
【００１９】
本発明に係る装身具として例示する徽章Ｘは、図１に示すように裏面に嵌合部１１が設けられた徽章本体１を、上面部に第２嵌合部２１が設けられた側面視略コの字形状のホルダ２へ、嵌合部１１と第２嵌合部２１との嵌め合わせを通じて回転可能に取り付けて構成されている。この徽章Ｘには、嵌合部１１と第２嵌合部２１とを嵌め合わせる構造として、本発明に係る装身具用取付構造が備えられている。
【００２０】
徽章本体１は、図２に示すように、裏面に嵌合部１１が設けられている。嵌合部１１は、例えば、金属材又は合成樹脂材で形成され、中心部が円柱状に凹んで形成された開口を有する雌型構造体と、波状に折り曲げられてバネ性が備えられた線材１１１とからなる。線材１１１は、その波状の一端片が雌型構造体内で中心部へ向くように配置され、開口から突出している。嵌合部１１を正面視すれば、中心部の開口に線材１１１の一端片が２本平行に貫通し、この貫通した線材１１１の一端片により突起部１１ａが形成された態様が現れる。すなわち、線材１１１は一対として、雌型構造体内の両サイドから中心部の開口へ向けてそれぞれ配置されている。
【００２１】
なお、突起部１１ａは、開口を平行に２度貫通させるように波状に折り曲げて配置することにより、一本の線材により形成することもできる。また、徽章本体１の表面には、例えば、デザインされて作製された徽章そのものの図案等が表される。本実施形態において徽章本体１は真鍮製である。また例えば、徽章本体１は、金、銀、銅、錫、亜鉛、ステンレスや、これらを一部として含む合金等で作製することができる。嵌合部１１は、金、銀、銅、錫や、これらを一部として含む合金等で作製することができる。
【００２２】
ホルダ２は、図２に示すように、一枚の略矩形状板が折り曲げられることで形成され、上面部２Ａと、下面部２Ｂと、この下面部２Ｂと上面部２Ａとを連結する連結部２Ｃとから側面視略コの字形状に、弾性を有して構成されている。ホルダ２の上面部２Ａには、徽章本体１の嵌合部１１と嵌合する第２嵌合部２１が設けられている。ホルダ２の下面部２Ｂには、その一部を上面部２Ａ側へ向けて略への字に屈曲させて形成した留部２２が設けられている。この略への字の留部２２は、衣服の胸部、襟部、袖部や、帽子、ネクタイ等をはじめとする様々な被付着部位に容易に、ホルダ２を介して徽章本体１を付することを目的として形成されるから、適度なバネ性を有することが好ましい。また、ホルダ２の上面部２Ａに設けられた第２嵌合部２１は、例えば、金属材又は合成樹脂材で形成される。本実施形態においてホルダ２は、りん青銅製である。また、ホルダ２は、バネ性のある金属（例えば、りん青銅、ステンレス等）で作製する限り、適宜の材質を採用することができる。
【００２３】
第２嵌合部２１は、図２や図３に示すように、雄型構造を有する。具体的には、図３に示すように、円形底面２１１と、この円形底面２１１の周縁から突出する円周壁面２１２と、円形底面２１１の中心部から突出し、円周壁面２１２よりも背の高い先端である先端面２１３１ａを有する突出体２１３とが、円柱体を削ることで形成されて構成される。具体的には、卓上旋盤を使って真鍮の円柱体を削り、円形底面２１１と、円周壁面２１２と、突出体２１３とを形成し、雄型構造を作り出している。卓上旋盤を使って雄型構造を削り出す際には、突出体２１３に後述するような頭部２１３１、軸部２１３２及び土台部２１３３の形状がそれぞれ削り出されるように留意すべきである。
【００２４】
突出体２１３は、頭部２１３１と、土台部２１３３と、この土台部２１３３及び頭部２１３１を連結する軸部２１３２とからなる。頭部２１３１は、円形底面２１１と平行な下面２１３１ｂ及び円周壁面２１２と平行な側面２１３１ｃを有し、この下面２１３１ｂと側面２１３１ｃと先端面２１３１ａとで形成されている。土台部２１３３は、円形底面２１１と平行な上面２１３３ａ及び円周壁面２１２と平行な側面２１３３ｂを有し、円形底面２１１と接して形成されている。また、軸部２１３２は、土台部２１３３の上面２１３３ａの中心部から頭部２１３１の下面２１３１ｂの中心部へ向けてテーパ状に拡開されて連結されている。なお、突出体２１３は、軸中心から頭部２１３１の側面２１３１ｃまでの径と、軸中心から土台部２１３３の側面２１３３ｂまでの径とが同一になるように削り出される。
【００２５】
徽章Ｘは、上述のように構成された嵌合部１１と第２嵌合部２１とが嵌め合わされて構成される本発明に係る装身具用取付構造を備える。具体的には、ホルダ２に設けられた第２嵌合部２１の突出体２１３を、徽章本体１に設けられた嵌合部１１の開口へ向けて嵌め合わせたとき、図４に示すように、突出体２１３の頭部２１３１の側面２１３１ｃとともに、土台部２１３３の側面２１３３ｂまでもが嵌合部１１の開口へ圧接され、かつ突出体２１３の軸部２１３２が嵌合部１１の突起部１１ａに挟持される構造である。
【００２６】
また、頭部２１３１の下面２１３１ｂとテーパ状の軸部２１３２によって形成される形状に突起部１１ａが引っ掛かることで、徽章本体１が回転するのに伴って嵌合部１１の突起部１１ａに生じる嵌め合わせが外れる向きの応力が押さえ込まれる構造である。そうすると、徽章Ｘの徽章本体１の嵌合部１１とホルダ２の第２嵌合部２１との嵌め合わせ状態は、後述するように第２嵌合部２１の雄型構造が破壊されない限り維持されるようになる。
【００２７】
ここで、上述した徽章Ｘを製造するための製造工程を簡単に説明する。
【００２８】
まず、フライス盤を使って真鍮材を所望の長さに切断し、円柱体を得る。続いて、卓上旋盤を使って円柱体を削り、頭部２１３１、軸部２１３２及び土台部２１３３の形状がそれぞれ削り出されるように留意して突出体２１３を、円形底面２１１及び円周壁面２１２とともに形成し、雄型構造を備えた第２嵌合部２１を作り出す。その際、突出体２１３が意図したとおりに作り出されているかどうか確認することが好ましい。また、円周壁面２１２の高さを、嵌合部１１及び第２嵌合部２１の嵌め合わせの際に徽章本体１の裏面と接する高さとすることで、突出体２１３と嵌合部１１の開口との嵌め合わせ状態が外観に現れることがなくなって、徽章Ｘの側面視を審美とすることができる。
【００２９】
次に、雄型構造を備えた第２嵌合部２１をホルダ２に接合する。その後、ホルダ２の表面仕上げを行って全体をメッキする。
【００３０】
一方、徽章本体１は、上述したホルダ２の製造工程と並行して製造する。中心部が凹んで形成された開口を有する雌型構造体と、波状に折り曲げてバネ性を備えされた線材１１１とから、開口に線材１１１の一端片が２本平行に貫通されることで突起部１１ａが形成された平面視の嵌合部１１を作製する。続いて、卓上旋盤を使って、徽章本体１の裏面に、嵌合部１１の大きさに対応させた孔を深さ約１ｍｍ程度であける。この孔に嵌合部１１を、接着又は嵌め合わせ等により結合する。最後に、徽章本体１の嵌合部１１とホルダ２の第２嵌合部２１とを嵌め合わせて徽章Ｘを製造する。
【００３１】
製造された徽章Ｘは、図４に示すように、本発明に係る装身具用取付構造を備え、突出体２１３の頭部２１３１の側面２１３１ｃ及び土台部２１３３の側面２１３３ｂが嵌合部１１の開口へ圧接されるとともに、突出体２１３の軸部２１３２が嵌合部１１の突起部１１ａに挟持されて構成されるようになる。また、徽章本体１が回転するのに伴って、嵌合部１１の突起部１１ａに生じる嵌め合わせが外れる向きの応力は、頭部２１３１の下面２１３１ｂとテーパ状の軸部２１３２によって形成される形状に突起部１１ａが引っ掛かるようになり、押さえ込まれるようになる。
【００３２】
したがって、徽章Ｘの徽章本体１の嵌合部１１とホルダ２の第２嵌合部２１との嵌め合わせた状態は、頭部２１３１の下面２１３１ｂとテーパ状の軸部２１３２によって形成される形状に突起部１１ａが引っ掛かって、徽章本体１が回転するのに伴って、嵌合部１１の突起部１１ａに生じる嵌め合わせが外れる向きの応力が押さえ込まれることにより、第２嵌合部２１の雄型構造が破壊されない限り維持され、徽章本体１がホルダ２から外れることがない。さらに、突出体２１３の頭部２１３１の側面２１３１ｃだけでなく、土台部２１３３の側面２１３３ｂまでもが嵌合部１１の開口へ圧接され、かつ、突出体２１３の軸部２１３２が嵌合部１１の突起部１１ａに挟持されているので、徽章本体１を回転するのにある程度の力を要し、襟に手を触れる、襟が物体に触れるといった場合を含めて意図しない徽章本体１の回転を防ぐことができる。
【００３３】
なお、本発明に係る装身具用取付構造における第２嵌合部２１の代表的な寸法は、円形底面２１１の外径が７．４ｍｍ、この円形底面２１１の周縁から突出する円周壁面２１２の高さが１．５ｍｍ、円形底面２１１の中心部から突出する突出体２１３の先端面２１３１ａまでの高さが２．５ｍｍ、突出体２１３の土台部２１３３の高さが０．３ｍｍ、土台部２１３３の側面２１３３ｂ及び頭部２１３１の側面２１３１ｃの外径が２．２ｍｍ、土台部２１３３の上面２１３３ａから頭部２１３１の下面２１３１ｂまで（軸部２１３２）の長さが、０．８ｍｍである。また、頭部２１３１の下面２１３１ｂと接する位置における軸部２１３２の拡開側外径が１．６ｍｍである。
【００３４】
以下、徽章Ｘ（愛称：「スライドインバッジ」）に関し、ワイシャツやカッターシャツの襟に付する手順を、図５を参照しつつ説明する。
【００３５】
まず、図５（Ａ）に示すように、徽章Ｘをワイシャツやカッターシャツの襟に取付ける。具体的には、ホルダ２を指先で摘む等して、側面視略コの字形状の開放側をワイシャツ、カッターシャツの襟へ向けて取り付ける。襟には、スライドさせながら取り付けることができるので便宜である。ワイシャツやカッターシャツの襟に一旦取付けたホルダ２は、強引に引っ張るといった強力な力を加えない限り、ホルダ２の下面部２Ｂの略への字に形成された留部２２のバネ性によって外れることがない。
【００３６】
次に、図５（Ｂ）に示すように、徽章本体１を指先で摘みながらホルダ２の第２嵌合部２１を支点に回転させて調整し、徽章本体１の表面に表された図案を適切に位置決めする。これにより、図５（Ｃ）に示すように、簡便にワイシャツやカッターシャツの襟に徽章Ｘを付することができる。ピンにより貫通させてワイシャツやカッターシャツの襟に付していないので、これらの衣服を一切傷つけることがない。
【００３７】
そして、衣服に付された徽章Ｘは、本発明に係る装身具用取付構造を備えるために、第２嵌合部２１の雄型構造が破壊されない限り、徽章本体１がホルダ２から外れることがない。徽章本体１を回転するのにある程度の力を要するものとなるので、襟に手を触れる、襟が物体に触れるといった場合等、業務を行いながらの意図しない徽章本体１の回転を防ぐことができる。また、嵌合部１１及び第２嵌合部２１を嵌め合わせる際に徽章本体１の裏面と接する高さとした円周壁面２１２により、突出体２１３と嵌合部１１の開口との嵌め合わせ状態が外観に現れることがなく、側面視を含めて全体が審美である。嵌め合わせ状態が外観に現れることがないから、付する際に嵌合構造に衣服が引っ掛かるというような事象を防ぐこともできる。このほか、徽章本体１がホルダ２から外れることがない、すなわち一体化しているので、徽章本体１単体に比べ、そのサイズが大きくなるから、乳児、幼児等が飲み込むような事故を防ぐこともできる。
【００３８】
ここで、装身具本体被取付体としてのホルダ２は、図６に示すように、下面部２Ｂに、ワイシャツやカッターシャツの襟等の被装身体を受け入れるコの字形状の開放側の幅（厚み）を調整する調整ネジ２３を備えて構成してもよい。この調整ネジ２３の先端には、被装身体を傷つけないようにするため、扁平な保護部２３ａを設けることが望ましい。調整ネジ２３を左右に回すことにより、コの字形状の開放側の幅（厚み）、すなわち調整ネジ２３の先端の保護部２３ａと上面部２Ａとの間の幅（厚み）を調整するのである。また、ホルダ２の構成として、調整ネジ２３によって下面部２Ｂが押圧される仕組みを採用した場合、押圧された下面部２Ｂと上面部２Ａとの間の幅（厚み）が、被装身体を受け入れ可能な幅（厚み）として調整されるようになる。このように構成されたホルダにより装身具を構成すれば、様々な厚みを有する被装身体に対応することができて、非常に便宜である。被装身体に一旦取付けたホルダ２は、強引に引っ張るといった強力な力を加えない限り、外れることがない。また、金属疲労や可塑性によってバネ性が失われることもなく、長寿命を達成することができる。
【００３９】
また、本発明に係る装身具用取付構造と、これを備えた装身具の例は、徽章に適用されることに限らない。例えば、図７に示すように、ペンダントＹの例を挙げることができる。この例では、中心部が凹み、この凹んで形成された開口に突起部を有する雌型構造の嵌合部をペンダント本体に備えさせ、突出体を有する雄型構造の第２嵌合部をホルダに備えさせ、ペンダント本体を、ホルダへ回転可能に嵌め合わせて取り付けたペンダントＹを、例えば、衣服の胸部に付することができる。
【００４０】
ペンダントＹの例においても、突出体の頭部の側面及び土台部の側面が嵌合部の開口へ圧接されるとともに、突出体の軸部が嵌合部の突起部に挟持され、かつ、頭部の下面とテーパ状の軸部によって形成される形状に嵌合部の突起部が引っ掛かって、ペンダント本体が回転するのに伴って嵌合部の突起部に生じる嵌め合わせが外れる向きの応力が押さえ込まれる本発明に係る装身具用取付構造を備えるので、第２嵌合部の雄型構造が破壊されない限り、ペンダント本体がホルダから外れることがない。また、胸に手が触れた、胸が物体に触れたといった場合等の意図しないペンダント本体の回転を防ぐこともできる。
【００４１】
その他、本発明に係る装身具用取付構造と、これを備えた装身具の例は、図示を省略したが、指輪といった宝飾品をリングに嵌め合わせて取り付ける装身具にも適用することができ、上述した効果を具備させることができる。
【００４２】
なお、徽章Ｘ、ペンダントＹ、指輪等のいずれの装身具の例においても、徽章本体やペンダント本体、宝飾品本体に雄型構造の第２嵌合部を備えさせ、ホルダ又はリングに雌型構造の嵌合部を備えさせるようにしてもよい。
【００４３】
以上、本発明の一実施形態を例示して詳述したが、上述したとおり、本発明は上記実施形態に限定されるものではない。例えば、装身具本体被取付体（ホルダ）の幅や長さといった大きさに関し、装身具本体（徽章本体、ペンダント本体）の大きさに従って、収まりの良い大きさに適宜変更すればよい。また、装身具本体に表れるデザイン、色、材質等との兼ね合い、調和等の観点から、装身具本体被取付体（ホルダ）の材質を選ぶことも可能である。すなわち、本発明は、特許請求の範囲に記載した事項を逸脱することがなければ種々の設計変更を行うことができるものである。なお、本発明における嵌合部の雌型構造として、所謂スナップボタンの雌型ボタンを活用した例を挙げることができる。
【符号の説明】
【００４４】
Ｘ・・・・・徽章（本発明）
Ｙ・・・・・ペンダント（本発明）
１・・・・・徽章本体（装身具本体）
１１・・・・嵌合部
１１１・・・線材
１１ａ・・・突起部
２・・・・・ホルダ（装身具本体被取付体）
２Ａ・・・・上面部
２Ｂ・・・・下面部
２Ｃ・・・・連結部
２１・・・・第２嵌合部
２１１・・・円形底面
２１２・・・円周壁面
２１３・・・突出体
２１３１・・頭部
２１３１ａ・先端面（先端）
２１３１ｂ・下面
２１３１ｃ・側面
２１３２・・軸部
２１３３・・土台部
２１３３ａ・上面
２１３３ｂ・側面
２２・・・・留部
２３・・・・調整ネジ
２３ａ・・・保護部
【図１】
2013103105.tif 000003
【図２】
2013103105.tif 000004
【図３】
2013103105.tif 000005
【図４】
2013103105.tif 000006
【図５】
2013103105.tif 000007
【図６】
2013103105.tif 000008
【図７】
2013103105.tif 000009
【手続補正書】
【提出日】平成24年3月16日(2012.3.16)
【手続補正１】
【補正対象書類名】明細書
【補正対象項目名】００１０
【補正方法】変更
【補正の内容】
【００１０】
上記目的を達成するため、本発明は、中心部が凹み、この凹んで形成された開口に突起を有する雌型構造の嵌合部と、この嵌合部に嵌り合う雄型構造の第２嵌合部とから構成され、この第２嵌合部と前記嵌合部との嵌め合わせを通じて装身具本体を、装身具本体被取付体へ回転可能に取り付ける装身具用取付構造であって、前記第２嵌合部の雄型構造は、円形底面と、この円形底面の周縁から突出する円周壁面と、前記円形底面の中心部から突出し、前記円周壁面よりも背の高い先端を有する突出体とで形成され、前記突出体は、前記円形底面と平行な下面及び前記円周壁面と平行な側面を有し、この側面と前記下面と前記先端とで形成される頭部と、前記円形底面と平行な上面及び前記円周壁面と平行な側面を有し、前記円形底面と接して形成される土台部と、この土台部と前記頭部を連結する軸部とからなり、前記軸部が、前記土台部の上面の中心部から前記頭部の下面の中心部へ向けてテーパ状に拡開して連結され、軸中心から前記頭部の側面までの径と、前記軸中心から前記土台部の側面までの径とが同一であり、前記雌型構造の嵌合部の開口は、前記突出体の前記頭部の側面及び前記土台部の側面が圧接される径を有していて、前記突出体の前記頭部の側面及び前記土台部の側面が前記嵌合部の開口へ圧接されるとともに、前記軸部が前記嵌合部の突起に挟持され、かつ、前記頭部の下面とテーパ状の前記軸部によって形成される形状に前記突起が引っ掛かって、前記装身具本体の回転に伴って前記突起に生じる嵌め合わせが外れる向きの応力が押さえ込まれることで、前記嵌合部と前記第２嵌合部との嵌め合わせが、前記雄型構造が破壊されない限り維持されてなることを特徴とする。
【手続補正２】
【補正対象書類名】明細書
【補正対象項目名】００１３
【補正方法】変更
【補正の内容】
【００１３】
特に、第２嵌合部の雄型構造は、円形底面と、この円形底面の周縁から突出する円周壁面と、円形底面の中心部から突出し、円周壁面よりも背の高い先端を有する突出体とで形成されて構成されている。突出体は、円形底面と平行な下面及び円周壁面と平行な側面を有し、この側面と下面と先端とで形成される頭部と、円形底面と平行な上面及び円周壁面と平行な側面を有し、円形底面と接して形成される土台部と、この土台部と頭部を連結する軸部とからなり、軸部が、土台部の上面の中心部から頭部の下面の中心部へ向けてテーパ状に拡開して連結され、軸中心から頭部の側面までの径と、軸中心から土台部の側面までの径とが同一である構造である。また、雌型構造の嵌合部の開口は、突出体の頭部の側面及び土台部の側面が圧接される径を有している。この構成及び構造により、突出体の頭部の側面及び土台部の側面が嵌合部の開口へ圧接されるとともに、突出体の軸部が嵌合部の突起に挟持され、かつ、頭部の下面とテーパ状の軸部によって形成される形状に突起が引っ掛かって、装身具本体の回転に伴って突起に生じる嵌め合わせが外れる向きの応力が押さえ込まれることで嵌合部と第２嵌合部との嵌め合わせが維持される構成となる。したがって、装身具本体を装身具本体被取付体に回転可能に嵌め合わせて取り付けたとき、装身具本体の回転に伴って嵌合部の突起に生じる嵌め合わせが外れる向きの応力は、頭部の下面とテーパ状の軸部によって形成される形状に突起が引っ掛かって押さえ込まれるので、装身具本体を装身具本体被取付体から外れないようにすることができる。装身具本体を装身具本体被取付体から外すには、第２嵌合部の雄型構造を破壊する必要がある。
【手続補正３】
【補正対象書類名】特許請求の範囲
【補正対象項目名】請求項１
【補正方法】変更
【補正の内容】
【請求項１】
中心部が凹み、この凹んで形成された開口に突起を有する雌型構造の嵌合部と、この嵌合部に嵌り合う雄型構造の第２嵌合部とから構成され、この第２嵌合部と前記嵌合部との嵌め合わせを通じて装身具本体を、装身具本体被取付体へ回転可能に取り付ける装身具用取付構造であって、
前記第２嵌合部の雄型構造は、円形底面と、この円形底面の周縁から突出する円周壁面と、前記円形底面の中心部から突出し、前記円周壁面よりも背の高い先端を有する突出体とで形成され、
前記突出体は、前記円形底面と平行な下面及び前記円周壁面と平行な側面を有し、この側面と前記下面と前記先端とで形成される頭部と、前記円形底面と平行な上面及び前記円周壁面と平行な側面を有し、前記円形底面と接して形成される土台部と、この土台部と前記頭部を連結する軸部とからなり、前記軸部が、前記土台部の上面の中心部から前記頭部の下面の中心部へ向けてテーパ状に拡開して連結され、軸中心から前記頭部の側面までの径と、前記軸中心から前記土台部の側面までの径とが同一であり、
前記雌型構造の嵌合部の開口は、前記突出体の前記頭部の側面及び前記土台部の側面が圧接される径を有していて、
前記突出体の前記頭部の側面及び前記土台部の側面が前記嵌合部の開口へ圧接されるとともに、前記軸部が前記嵌合部の突起に挟持され、かつ、前記頭部の下面とテーパ状の前記軸部によって形成される形状に前記突起が引っ掛かって、前記装身具本体の回転に伴って前記突起に生じる嵌め合わせが外れる向きの応力が押さえ込まれることで、前記嵌合部と前記第２嵌合部との嵌め合わせが、前記雄型構造が破壊されない限り維持されてなる、
ことを特徴とする装身具用取付構造。